(57)【要約】【課題】共通の積載手段を用いてシートに画像形成を実施しつつシート上の被写体を撮像する構成において、積載手段の位置に拘わらず被写体の給送手段側への進入を確実に規制することが可能な画像形成装置を提供する。【解決手段】画像形成装置１は、装置本体１ａに支持され、被写体Ｓの積載と画像形成部に給送されるシートＰの積載とに兼用可能な積載トレイ１１ａと、積載トレイ１１ａに積載されたシートを画像形成部に給送する給送ローラ１１ｂとを備える。更に画像形成装置１は、装置本体１ａに支持され、積載トレイ１１ａに積載された被写体を撮像可能な読取ユニット２３１と、積載トレイ１１ａのシート積載面もしくはシート積載面上のシートに積載された被写体を係止して給送ローラ１１ｂ側への被写体の進入を規制するように配置された被写体進入規制レバー７０とを備える。【選択図】図４
2016186586.tif 000002
【特許請求の範囲】
【請求項１】
シートに画像を形成する画像形成手段を有する装置本体と、
前記装置本体に支持され、被写体の積載と前記画像形成手段に給送されるシートの積載とに兼用可能な積載手段と、
前記積載手段に積載されたシートを前記画像形成手段に給送する給送手段と、
前記装置本体に支持され、前記積載手段に積載された被写体を撮像可能な撮像手段と、
前記積載手段のシート積載面もしくは前記シート積載面上のシートに積載された被写体を係止して前記給送手段側への被写体の進入を規制するように配置された被写体進入規制手段と、を備える、
ことを特徴とする画像形成装置。
【請求項２】
前記被写体進入規制手段は、前記給送手段によりシートを給送するシート給送方向における前記給送手段よりも上流側にて、前記シート積載面もしくは前記シート積載面上のシートに当接可能な当接部を有する、
ことを特徴とする請求項１に記載の画像形成装置。
【請求項３】
前記被写体進入規制手段は、前記給送手段の近傍に一端部が回動可能に軸支され、前記一端部からシート給送方向上流に延設され且つ先端に前記当接部を有する規制部材から構成され、前記当接部が前記シート積載面もしくは前記シート積載面上のシートに追従するように付勢される、
ことを特徴とする請求項２に記載の画像形成装置。
【請求項４】
前記被写体進入規制手段は、前記当接部が前記シート積載面もしくは前記シート積載面上のシートに追従する規制位置と、前記当接部が前記シート積載面から退避する退避位置とに移動可能に支持される、
ことを特徴とする請求項３に記載の画像形成装置。
【請求項５】
前記規制部材の位置を検知する検知手段と、
前記検知手段による検知に基づき前記規制部材が前記退避位置にあると判定した場合には前記撮像手段による撮像動作を制限する制御手段と、を備える、
ことを特徴とする請求項４に記載の画像形成装置。
【請求項６】
第１の方向及び前記第１の方向に反対方向である第２の方向に移動可能に設けられ、前記積載手段に積載されているシートのシート給送方向に直交する幅方向の端部に当接し、シートの位置を規制する規制部材を備え、
前記被写体進入規制手段の前記当接部は、シート給送方向における前記規制部材よりも上流側に位置している、
ことを特徴とする請求項２乃至５のいずれか１項に記載の画像形成装置。
【請求項７】
前記被写体進入規制手段は、前記給送手段の近傍を支点として回動可能に支持され、
前記撮像手段は、前記シート積載面の位置に応じて前記シート積載面上の被写体に焦点を合わせて移動して撮像可能となるように支持され、
前記シート積載面に追従する前記当接部の移動に連動して前記撮像手段を前記シート積載面に対して移動させる移動手段を備える、
ことを特徴とする請求項２乃至６のいずれか１項に記載の画像形成装置。
【請求項８】
前記移動手段は、前記シート積載面に積載されたシートの枚数変化に対応して前記当接部が前記シート積載面と略垂直な方向に移動する変位量に応じて、前記シート積載面に対する前記撮像手段の撮像部までの距離を変更させる、
ことを特徴とする請求項７に記載の画像形成装置。
【発明の詳細な説明】
【技術分野】
【０００１】
本発明は、複写機、ファクシミリ装置、プリンタ及びこれらの複合機等の画像形成装置に関する。
【背景技術】
【０００２】
従来、原稿読取部を備えた画像形成装置において、特に画像形成装置本体（以下、装置本体という）の小型化を目的として、原稿を上方から読み取る原稿読取手段（撮像手段）を備えたものが提案されている（特許文献１参照）。この画像形成装置は、画像形成ユニットにより画像が形成されたシートを装置本体の上面に排出する上面排出ユニットと、この上面排出ユニットにより排出されるシートを受ける装置本体に対して開閉自在な上面排出トレイとを備える。さらに、この画像形成装置は、上面排出トレイを開放することで原稿や本などの被写体を積載する被写体積載面が露呈される被写体積載台と、この被写体積載台に積載した被写体を撮像する上記原稿読取手段としての二次元センサとを備える。そして、開放された状態の上面排出トレイが二次元センサの支持体を兼用する。これらにより、平坦な原稿だけでなく、立体的な被写体の撮像が可能になる。なお、二次元センサとは、二次元配列されたイメージセンサを示す。
【０００３】
しかしながら、特許文献１記載の画像形成装置では、被写体を撮像する（読み取る）二次元センサが支持された上面排出トレイを開放することで被写体積載面が露呈される構成を有する。そのため、読み取り可能な被写体のサイズに対応して上面排出トレイが大型化するおそれがあり、装置本体の上面に、被写体積載面となる平面が必要になることで、読み取り可能な被写体のサイズに応じて装置本体が大きくなるおそれがある。また、被写体の読み取り時には、その都度上面排出トレイを開放することが必要になる。そのため、装置本体からシートが排出される際にジャム（紙詰まり）が発生しなかったとしても、上面排出トレイにシートが積載された状態で開放した場合には積載シートが一方向に寄ってしまい、シートの積載性が損なわれてしまう。
【０００４】
そこで、被写体を撮像手段で撮像する構成を有しながらも、装置本体を大型化させず、シートの積載性を損なわないように構成した画像形成装置が、本出願人により提案されている（本願出願時、未公開）。
【０００５】
一方、手差し給送トレイにおける給送ローラのシート給送方向上流側に揺動可能なシート積載板を備え、このシート積載板の上方位置にシート進入阻止部材を備えた画像形成装置が知られている。この画像形成装置では、シート進入阻止部材を追加するだけで、シート積載板を押し下げることなくシートをセットした場合にシートの給送ローラ側への進入を規制することを可能にしている（特許文献２参照）。
【０００６】
特許文献２に記載のシート積載板は、シート給送方向下流側の一部が給送ローラと接触する高さ位置となる第１状態と、上記一部が給送ローラよりも下方の高さ位置となる第２状態との間で、上下方向に揺動可能に支持されている。そして、シート進入阻止部材は、シート積載板が第１状態にある際にはその下端がシート積載板上面に当接し、シート積載板が第２状態にある際にはその下端とシート積載板上面との間に空間が形成される。
【先行技術文献】
【特許文献】
【０００７】
【特許文献１】特開２００６−３１７８６３号公報
【特許文献２】特開２０１３−４９５３６号公報
【発明の概要】
【発明が解決しようとする課題】
【０００８】
ところで、特許文献２において、シート進入阻止部材は本来、手差し給送トレイのシート積載面に対する誤った位置にシートを積載することを防ぐためのものである。そして、このシート進入阻止部材を、本出願人により提案されている上記画像形成装置に適用する構成が考えられる。その場合、原稿等の被写体の積載と画像形成用のシートの積載とに兼用可能なシート積載板にて、シート上に被写体が積載された際にはこの被写体をシート進入阻止部材により給送ローラ側への進入を規制する。しかしその場合には、以下のような問題を生じるおそれがある。
【０００９】
即ち両技術の組み合わせで、シート積載板上に画像形成用のシートと画像読取用の被写体とを積載し、被写体の読取後、給送動作を連続して行う際にシート積載板上の被写体が給送ローラ側に進入しないようにシート進入阻止部材で規制することが考えられる。しかし、これによると、シート積載板上にシートと被写体とを重ねて積載し、被写体を読み取った後にシート給送動作を連続して行うと、次のようになるおそれがある。つまり、シート積載板が第２状態にあるときにシート上に重ねられた被写体が、シート進入阻止部材とシート積載面との間の空間から給送ローラ側に進入し、被写体に画像形成されて被写体が汚れてしまうおそれがある。
【００１０】
本発明は、共通の積載手段を用いてシートに画像形成を実施しつつシート上の被写体を撮像する構成において、積載手段の位置に拘わらず被写体の給送手段側への進入を確実に規制することが可能な画像形成装置を提供することを目的とする。
【課題を解決するための手段】
【００１１】
本発明は、画像形成装置において、シートに画像を形成する画像形成手段を有する装置本体と、前記装置本体に支持され、被写体の積載と前記画像形成手段に給送されるシートの積載とに兼用可能な積載手段と、前記積載手段に積載されたシートを前記画像形成手段に給送する給送手段と、前記装置本体に支持され、前記積載手段に積載された被写体を撮像可能な撮像手段と、前記積載手段のシート積載面もしくは前記シート積載面上のシートに積載された被写体を係止して前記給送手段側への被写体の進入を規制するように配置された被写体進入規制手段と、を備えることを特徴とする。
【発明の効果】
【００１２】
本発明によると、共通の積載手段を用いてシートに画像形成を実施しつつシート上の被写体を撮像する構成において、積載手段の位置に拘わらず被写体の給送手段側への進入を確実に規制することが可能になる。
【図面の簡単な説明】
【００１３】
【図１】本発明の第１の実施形態に係る画像形成装置の概略構成を示す斜視図。
【図２】第１の本実施形態に係る画像形成装置の概略構成を積載トレイの開放状態で示す側面図。
【図３】第１の実施形態に係る読取ユニットによる撮像時の状態を示す斜視図。
【図４】第１の本実施形態に係る画像形成装置の概略構成を積載トレイの開放状態で示す斜視図。
【図５】第１の実施形態に係る画像形成装置におけるシート無し且つ被写体有りの状態を拡大して示す側面図。
【図６】第１の実施形態に係る画像形成装置におけるシート有り且つ被写体有りの状態を拡大して示す側面図。
【図７】第１の実施形態に係る画像形成装置における原稿進入規制レバーの退避状態を拡大して示す側面図。
【図８】第１の実施形態に係る画像形成装置の制御系を示すブロック図。
【図９】第１の実施形態に係る画像形成装置の読取動作を示すフローチャート。
【図１０】本発明の第２の実施形態に係る開放状態の積載トレイに被写体を積載した状態を示す斜視図。
【図１１】第２の実施形態に係る原稿進入規制レバーの規制状態を拡大して示す側面図。
【図１２】本発明の第３の実施形態に係る読取ユニットの可動例であるシート無し且つ被写体有りの状態を拡大して示す側面図。
【図１３】第３の実施形態に係る読取ユニットの可動例であるシート有り且つ被写体有りの状態を拡大して示す側面図。
【発明を実施するための形態】
【００１４】
＜第１の実施形態＞
以下、本発明の第１の実施形態に係る画像形成装置について、図面を参照しながら説明する。本実施形態に係る画像形成装置は、電子写真記録方式の複写機、プリンタ、複合機等から構成することが可能である。なお、図１は本実施形態に係る画像形成装置１の概略構成を示す斜視図、図２は図１の画像形成装置１の概略構成を示す断面図である。
【００１５】
［画像形成装置］
図１及び図２に示すように、画像形成装置１は装置本体１ａを備えている。この装置本体１ａの前面（図１中の右側）には、積載手段としての積載トレイ１１ａが開閉可能に支持されている。積載トレイ１１ａは、装置本体１ａにおける図１右側部に回動可能に支持され、装置本体側に収納される収納位置と、シートＰ（被写体Ｓ）が積載可能な積載位置とに回動可能（移動可能）に構成される。
【００１６】
積載トレイ１１ａにおける装置本体側には、積載トレイ１１ａに積載されたシートＰを後述の画像形成部１０に給送する給送手段としての給送ローラ１１ｂが配置されている。また、装置本体１ａの図１右側部における積載トレイ１１ａの上方には、後述する撮像手段としての読取ユニット２３１が回動可能に支持されている。
【００１７】
装置本体１ａの上部中央には、印刷後に排出されたシートＰが積載される排出積載部５１が設けられている。この排出積載部５１には、排出延長トレイ５２が設けられている。排出延長トレイ５２は、排出されるシートＰの長さが長い場合にその積載性を向上させるように、排出積載部５１における先端近傍から図１中の右方に延出される構成を備える。
【００１８】
また、装置本体１ａ上部の排出積載部５１に隣接する位置には、各種操作ボタン等を有する操作部６１が配置されている。この操作部６１は、画像形成装置１の電源の状態、ジョブの有無、エラー状態等を表示し、もしくはネットワークの設定、ジョブの消去や各種の設定や操作等を行うことが可能に構成される。
【００１９】
図２に示すように、画像形成装置１の装置本体１ａには、内部の略中央部に、画像形成手段としての画像形成部１０が配置され、底部に、シート収納部としての給紙カセット２１１ａが装着及び引き出し可能に配置されている。給紙カセット２１１ａには、画像形成部１０に給送されるシートＰが収納される。給紙カセット２１１ａのシート給送方向の下流には、給送ローラ２１１ｂが配置されている。給送ローラ２１１ｂは、略半月状に構成され、給紙カセット２１１ａに収納されたシートＰを画像形成部１０に給送するようにその回転が制御される。
【００２０】
画像形成部１０は、像担持体としての感光ドラム２１、不図示の現像器、感光ドラム２１の表面を露光して感光ドラム上に静電潜像を形成するレーザスキャナ２０１、不図示の帯電ローラ、及び、シートＰにトナー像を転写する転写部２２とを有している。さらに、画像形成部１０は、転写されたトナー像を加熱及び加圧によりシートＰに定着させる定着部３１等を有している。転写部２２は、感光ドラム２１と転写ローラ２２ａとから構成され、感光ドラム２１と転写ローラ２２ａとの圧接によって転写ニップ部を形成している。定着部３１は、加熱源を有する定着ベルト３１ａと定着ベルト３１ａに圧接される加圧ローラ３１ｂとから構成されている。
【００２１】
シート搬送路３９における定着部３１の下流には、画像形成部１０で画像形成されて定着部３１で定着されたシートＰを搬送する搬送ローラ対４５が配置されている。さらに、搬送ローラ対４５の下流には、共通積載部としての排出積載部５１にシートＰを排出する排出ローラ（排出手段）４１が配置されている。
【００２２】
排出積載部５１は、積載トレイ１１ａから給送ローラ１１ｂにより給送されて画像形成部１０で画像形成されたシートＰと、給紙カセット２１１ａから給送されて画像形成部１０で画像形成されたシートＰとを、共通に積載するように構成されている。この構成により、積載トレイ１１ａから送られて画像形成されたシートを積載する積載部と、給紙カセット２１１ａから送られて画像形成されたシートを積載する積載部とを個別に用意することが不要になるので、装置構成を簡略化することができる。
【００２３】
また、給送ローラ１１ｂは、装置本体１ａの開口部２１０（図１）においてシート給送方向（図１：矢印Ｈの方向）に直交する幅方向（図１：矢印Ｉの方向）に延設される給送ローラ軸１１ｇ（図２）の軸方向中央部に固定支持されている。給送ローラ軸１１ｇの軸方向両端部には、不図示の給送カムがそれぞれ固定されており、それら一対の給送カムは互いに同じ位相となるように位置決めされている。
【００２４】
給送ローラ軸１１ｇは、給送ローラ１１ｂ及び給送カム（不図示）を支持した状態で、制御部４６（図８参照）の制御によりシートを給送する方向に回転させられる。つまり、制御部４６の制御により駆動される駆動モータ（不図示）の回転が給送ローラ軸１１ｇに伝達され、給送ローラ軸１１ｇと共に給送ローラ１１ｂ及び給送カム（不図示）が一体的に回転させられる。
【００２５】
また、積載トレイ１１ａに設けられた昇降トレイ部９０（図２）の幅方向両端部にはそれぞれ、給送カム（不図示）に対向する位置に昇降カムフォロア９１（図２）が設置されている。これら一対の昇降カムフォロア９１は、給送ローラ軸両端部の給送カム（不図示）に対して昇降トレイ部９０と共に押圧バネ（不図示）によって付勢されている。これにより、積載トレイ１１ａの昇降トレイ部９０は、給送ローラ１１ｂに向けて押し上げられている。
【００２６】
シートの給送待機時では、不図示の給送カムが押圧バネの付勢力に抗して昇降トレイ部９０の昇降カムフォロア９１を押下しているため、シートＰと給送ローラ１１ｂとが離間した待機位置にある。そして給送時には、昇降カムフォロア９１が、給送ローラ１１ｂと一体的に回転する給送カム（不図示）に係合されることで、昇降トレイ部９０は、給送ローラ１１ｂに対して接近及び離間するように昇降させられる。
【００２７】
即ち、給送ローラ１１ｂに回転が伝達されると、給送ローラ１１ｂと共に給送カム（不図示）が回転して、昇降カムフォロア９１を追随させる。そのため、押圧バネ（不図示）により昇降トレイ部９０上のシートＰが給送ローラ１１ｂに押圧され、回転している給送ローラ１１ｂにより送り出される。そして、このシートＰは、分離パッド（不図示）及び給送ローラ１１ｂによる分離作用で一枚ずつ分離されて給送され、下流のレジストレーションローラ対４３に送り込まれる。
【００２８】
給送動作時には、給送ローラ軸１１ｇが回転することで給送ローラ１１ｂが回転し、給送カム（不図示）が押下げていた積載トレイ１１ａの昇降カムフォロア９１を解放する。これにより、積載トレイ１１ａの昇降トレイ部９０は、押圧バネ（不図示）の付勢力によってシートＰを給送ローラ１１ｂに当接させる方向に急激に移動する。
【００２９】
積載トレイ１１ａの昇降トレイ部９０が、シートＰと給送ローラ１１ｂとが当接する給送位置まで移動すると、昇降トレイ部上の最上位のシートＰが給送ローラ１１ｂの回転により給送され、分離パッド（不図示）によって一枚ずつ分離される。給送ローラ１１ｂが一回転すると、昇降トレイ部９０は給送カム（不図示）によって再び待機位置に戻される。
【００３０】
このように、積載トレイ１１ａのシート積載面１１ｅは、シート給送動作時には、後端側を支持する軸部（不図示）を支点として、給送ローラ軸１１ｇと同軸に設けられた給送カム（不図示）の回転動作に従って鉛直方向に昇降運動を行う。これにより、積載トレイ１１ａの昇降トレイ部９０上のシートＰは、給送ローラ１１ｂに当接しながら給送される。
【００３１】
以上の構成を備える画像形成装置１では、画像形成時に、制御部４６（図８）の制御に応じて、積載トレイ１１ａから給送ローラ（給送手段）１１ｂにより給送されたシートＰが、レジストレーションローラ対４３を介して画像形成部１０に送り込まれる。また、給紙カセット２１１ａから給送ローラ２１１ｂにより給送されたシートＰが、搬送ローラ対４４及びレジストレーションローラ対４３を介して画像形成部１０に送り込まれる。
【００３２】
レジストレーションローラ対４３は、送られてきたシートＰを、ニップ部で一旦受け止めてその斜行を補正し、感光ドラム２１上のトナー画像に合わせた所定のタイミングで転写部２２に送り込む。そして、この転写部２２において、感光ドラム２１上に形成されたトナー画像がシートＰに転写される。
【００３３】
その後、転写部２２でトナー画像を転写されたシートＰは、定着部３１に搬送され、定着ベルト３１ａと加圧ローラ３１ｂ間の定着ニップ部を通過する際に加熱及び加圧されて、トナー像を定着される。さらに、シートＰは、搬送ローラ対４５を経て、排出ローラ４１を介して排出積載部５１に排出される。
【００３４】
以上のように、本実施形態の画像形成装置１は、積載トレイ１１ａから給送する給送ローラ１１ｂと、給紙カセット２１１ａからシートＰを給送する給送ローラ２１１ｂという、二つの給送手段を備えている。
【００３５】
給紙カセット２１１ａには、シートサイズや種類として、通常最も良く利用されるシートＰが収納される。また、積載トレイ１１ａは、通常は画像形成装置１の前面（図２中の右側部）に折り畳まれた状態で収納されている。そして、積載トレイ１１ａは、給紙カセット２１１ａに収納されていないサイズや種類のシートＰに記録を行いたい場合に、図１及び図２に示すように引き出された状態でシートＰが積載される。
【００３６】
また、原稿や本などの被写体Ｓから情報を読み取りたい場合には、図１及び図２に示す位置に開放された積載トレイ１１ａに、被写体Ｓが積載される。そして、読取ユニット２３１が、装置本体１ａ前面における図２の上下方向中央部から右上方に傾くように延出された積載トレイ１１ａに対向した状態で、被写体Ｓの全域を読み取り可能になるように、積載トレイ１１ａを上方から臨む状態に起立される。
【００３７】
このように、本実施形態における積載トレイ（積載手段）１１ａは、画像形成部１０に給送されるシートＰの積載と、読取ユニット（撮像手段）２３１により撮像される被写体Ｓの積載とに兼用可能となるように構成される。このため、本実施形態では、装置本体上面に被写体積載面となる平面が不要なので、装置本体１ａを大型化させることなく、シートＰの積載性を損なうことのない画像形成装置１が実現可能になる。
【００３８】
読取ユニット２３１は、装置本体１ａに支持され、積載位置の積載トレイ１１ａに対向して積載トレイ１１ａ上（積載手段上）の被写体Ｓを撮像可能に構成されている。読取ユニット２３１は、上記起立時において撮像時の光軸Ｏが積載トレイ１１ａ上の被写体Ｓに対して垂直となるように位置決め可能に構成されている。起立状態での読取ユニット２３１の傾斜角度の調整により、光軸Ｏが被写体Ｓのほぼ中央に位置するようにされると、被写体Ｓの読取範囲Ｈの全域（矢印で示す範囲）に亘ってピントが合うようになる。
【００３９】
次に、図２〜図４を参照して、被写体Ｓの読み取りを行う撮像手段としての読取ユニット２３１の詳細について説明する。なお、図３は、被写体Ｓの読み取りを行う際の読取ユニット２３１を説明する斜視図であり、図４は、本実施形態に係る画像形成装置１の概略構成を積載トレイ１１ａの開放状態で示す斜視図である。
【００４０】
図２〜図４に示すように、画像形成装置１の正面部分には、不図示の支持機構を介して、開閉カバー１１ｃが装置本体１ａに対し開閉可能となるように支持されている。また、閉塞状態の開閉カバー１１ｃの内側に位置可能に、且つ装置本体１ａに対し開閉可能となるように、不図示の支持機構を介して積載トレイ１１ａが支持されている。
【００４１】
積載トレイ１１ａの先端部には、トレイ本体部から外方に延出した状態となるように、トレイ本体部に対し開閉可能に支持された積載延長トレイ１１ｄが設けられている。積載延長トレイ１１ｄは、積載トレイ１１ａが開閉カバー１１ｃ内に収納される際には、トレイ本体部に対して折り畳まれた状態のままトレイ本体部と共に装置本体１ａ側に回動させられる。この状態において、開閉カバー１１ｃは、折り畳み状態の積載トレイ１１ａを装置本体１ａ側に収納して覆い隠す。
【００４２】
読取ユニット（撮像手段）２３１は、図３に示すように、装置本体１ａの正面上部の中央部分において両側から突出するように一対の支持凸部２３９が形成されている。また、読取ユニット２３１は、読取部２３１ｃと、読取部２３１ｃを支持する第１腕部２３１ａと、第１腕部２３１ａに連結軸２３７で連結され第１腕部２３１ａに対して相対回動可能な第２腕部２３１ｂとを有している。
【００４３】
下側の第２腕部２３１ｂはその下部に、軸方向（図３の左右方向）に突出する軸部２３８が設けられている。第２腕部２３１ｂは、軸部２３８の両端部が一対の支持凸部２３９にそれぞれ回動可能に支持され、装置本体１ａに対して回動可能に支持されている。第１及び第２腕部２３１ａ，２３１ｂは、積載トレイ１１ａに積載された被写体Ｓの全体を撮像可能となる位置に読取部２３１ｃを移動調整可能に構成される。なお、図３における符号２４０は、装置本体１ａに開閉カバー１１ｃを閉塞した状態から開閉カバー１１ｃを開放する際にユーザが指等を引っ掛けやすくするための凹部を示している。
【００４４】
図３は、読取ユニット２３１を装置本体１ａから上方に引き出して、読取モード位置（撮像可能位置）にセットした状態を示している。この場合、軸部２３８と連結軸２３７とは、軽ロック機構（不図示）により固定される。この軽ロック機構（不図示）は、ラチェットのように軸部２３８と連結軸２３７との回転を抑制するように構成されており、ある一定の回転モーメントが作用するまでは回転せずに読取モード位置に保持される。これにより、読取ユニット２３１は、撮像可能位置では図２及び図３の位置よりも排出積載部５１側に回動することのない起立状態に維持され、撮像収納位置では折り畳まれた状態に維持される。
【００４５】
読取部２３１ｃは、図３の左右方向に延びる円筒状に構成され、上部に摘み操作部２３１ｄが突出形成されている。この読取部２３１ｃの内部には、二次元配列されたイメージセンサから構成されて被写体Ｓの情報を読み取る二次元センサ５０が、読取部２３１ｃ円筒の長手方向に沿った状態に固定されている。読取部２３１ｃの積載トレイ１１ａに対向可能な面には、その中央部にレンズ２３２が取り付けられ、このレンズ２３２の左右にはそれぞれ、照明部としてのＬＥＤライト（光源）２３３が取り付けられている。
【００４６】
レンズ２３２は、光軸Ｏ（図２参照）を成し、被写体Ｓの像を二次元センサ５０に結像させるように構成されている。二次元センサ５０は、結像された被写体Ｓの像を電子情報に変換する、いわゆる光電変換を行い、その信号を制御部４６（図８参照）に出力する。読取部２３１ｃにおけるレンズ２３２の両側に一体的に設けられたＬＥＤライト２３３は、制御部４６の制御により発光して、積載トレイ１１ａに積載された被写体Ｓを照明する。
【００４７】
以上の読取ユニット２３１は、装置本体側に収納される撮像収納位置と、積載位置の積載トレイ１１ａに対向して積載トレイ上（積載手段上）の被写体Ｓを撮像可能な撮像可能位置（図１、図２参照）とに移動可能となるように支持される。装置本体１ａの正面上部における手前側には、装置本体側に収納される撮像収納位置に折り畳まれた読取ユニット２３１に覆い隠される位置に、表示手段（発光部）としての読取表示ランプ２３５と、読取動作開始ボタン２３６とが配置されている。
【００４８】
読取表示ランプ２３５は、読取ユニット２３１が積載位置における積載トレイ１１ａのシート積載面１１ｅに積載された被写体Ｓを撮像可能な撮像可能位置に移動した際に露出され、読取ユニット２３１による撮像が可能であることを表示するように発光する。読取表示ランプ２３５は、制御部４６の制御により発光して撮像可能である旨を表示し、読取ユニット２３１は、読取表示ランプ２３５が表示されている間において撮像が可能となるように制御部４６により制御される。つまり、読取表示ランプ２３５は、読取ユニット２３１が積載位置（図２）にあって読取動作可能である時に点灯し、読取動作ができない撮像収納位置にあるときには消灯し、ユーザに状態を知らせる役割を果たすように制御される。
【００４９】
読取ユニット２３１が読取モード位置にあるかどうかは、読取モード位置検知センサ４９（図８参照）で読取ユニット２３１の位置を検知することに基づき、ＣＰＵ，ＲＡＭ，ＲＯＭを有する制御部４６（図８参照）が判断する。読取モード位置検知センサ４９は、第２腕部２３１ｂの軸部２３８の回動に伴ってオン、オフするスイッチ（不図示）やフォト・インタラプタ（不図示）等から構成することが可能である。読取モード位置検知センサ４９がオンしていれば読取ユニット２３１は撮像可能位置になっていることであり、読取モード位置検知センサ４９がオフしていれば読取ユニット２３１は撮像収納位置になっていることである。
【００５０】
次に、図４〜図６を参照して、本実施形態における被写体進入規制レバー７０及びその周辺構造について説明する。なお、図５は、本実施形態に係る画像形成装置１におけるシート無し且つ被写体有りの状態を拡大して示す側面図、図６は、画像形成装置１におけるシート有り且つ被写体有りの状態を拡大して示す側面図である。
【００５１】
給送ローラ１１ｂによりシートＰを給送して画像形成を行いたい場合、もしくは、被写体Ｓの画像情報の読み取りを行いたい場合には、積載トレイ１１ａを開いてそのシート積載面１１ｅにシートＰや被写体Ｓを積載する。
【００５２】
積載トレイ１１ａのシート積載面１１ｅは、昇降トレイ部９０の昇降動作に伴って上下に揺動可能に構成されている。通常、停止状態では、シート積載面１１ｅは、給送ローラ１１ｂから下方に離間した待機位置にあり、シート積載面１１ｅへのシートＰの積載作業が容易になっている。また、シートＰに画像形成を行う場合には、給送ローラ１１ｂによりシートＰを給送するため、シート積載面１１ｅが給送ローラ１１ｂに当接するまで上昇した後、元の待機位置まで戻る動作を行う。そして、積載トレイ１１ａのシート積載面１１ｅ上に被写体Ｓを積載して画像の読み取りを行う場合には、シート積載面１１ｅは給送ローラ１１ｂから下方に離間した上記待機位置にある。
【００５３】
積載トレイ１１ａのシート積載面上に積載した被写体Ｓの画像情報を読み取った後、シート積載面１１ｅ上に積載したシートＰを給送ローラ１１ｂにより連続して給送する。シートＰに被写体Ｓの画像の複写画像を形成する所謂コピーを行う場合には、積載トレイ１１ａのシート積載面１１ｅ上にシートＰを積載し、シート上に被写体Ｓを積載する。
【００５４】
画像形成装置１では、読取ユニット２３１により被写体Ｓの画像情報を読み取った後、給送ローラ１１ｂによりシートＰが給送される際、シート上の被写体Ｓがこのシートの給送に伴って移動させられて給送ローラ側（給送手段側）に進入することを防止する。そのため、被写体進入規制手段としての被写体進入規制レバー７０が、積載トレイ１１ａの上方に配置されている。この被写体進入規制レバー７０は、積載トレイ１１ａのシート積載面１１ｅもしくはシート積載面上のシートＰに積載された被写体Ｓを係止して給送ローラ１１ｂ側（給送ローラ側）に被写体Ｓが進入することを規制するように配置されている。なお、本実施形態では、シート給送方向に直交する幅方向（矢印Ｉ方向）にて所定の間隔をあけて回動軸７４両端部にて同位相で回動するように回動軸７４に支持された一対のアーム状部材から構成されるが（図１、図４参照）、これに限られるものではない。つまり、一対のアーム状部材を３つ以上のアーム状部材とすることも可能であり、また、アーム状部材の相互間隔を調整可能に構成することも可能である。この構成は、後述する第２、第３の実施形態においても同様に適用できる。
【００５５】
被写体進入規制レバー７０の当接部７０ａは、給送ローラ１１ｂよりも、シート給送方向（矢印Ｈ方向）の上流側に位置し、被写体Ｓの給送ローラ１１ｂに対向する辺の端面とその下面とを受ける形状の当接部７０ａを有している。また、当接部７０ａの先端である先端部７０ｂの下面が、シート積載面１１ｅもしくはシートＰ上に積載されている場合は、シートＰの上面に密接していることで被写体Ｓが給送ローラ１１ｂに進入することを防いでいる。
【００５６】
即ち、被写体進入規制レバー７０は、給送ローラ１１ｂによりシートＰを給送するシート給送方向における給送ローラ１１ｂよりも上流側にて、シート積載面１１ｅもしくはシート積載面上のシートＰに当接可能な当接部７０ａを有している。装置本体１ａ側には、回動軸７４の軸方向両側にて支持部７１から突出するようにブラケット７３が固定されている。被写体進入規制レバー７０は、ブラケット７３の先端部に回動軸７４によって軸支されており、レバー先端側の当接部７０ａが、シート積載面１１ｅに対して略垂直方向に回動動作するように構成されている。
【００５７】
つまり、被写体進入規制レバー７０は、給送ローラ１１ｂの近傍に位置するブラケット７３に一端部７０ｃが回動軸７４で回動可能に軸支され、一端部７０ｃからシート給送方向上流に延設され且つ先端に上記当接部７０ａを有する規制部材から構成される。当接部７０ａは、シート積載面１１ｅもしくはシート積載面上のシートＰに追従するように、トーションコイルばね８４（図５）によって図５における時計回り方向に付勢されている。
【００５８】
当接部７０ａの先端部７０ｂは、付勢手段としてのトーションコイルばね８４の付勢力で、先端部７０ｂの下面が、常にシート積載面１１ｅもしくはシートＰの上面に常時接することができるように力が働いている。例えば、積載トレイ１１ａに積載されたシートＰの枚数や、給送動作時の揺動するシート積載面１１ｅの上下位置に拘わらず、被写体Ｓの給送ローラ１１ｂへの進入を阻止する。このため、先端部７０ｂの下面がシート積載面１１ｅもしくはシートＰの上面に常時接することで、被写体Ｓの給送ローラ１１ｂへの進入を防ぐ効果が更に高まる（図５、図６参照）。
【００５９】
このように、給送動作時におけるシート積載面１１ｅの高さ変位や、シート積載面１１ｅ上のシートＰの枚数に拘わらず、当接部７０ａの下面をシート積載面１１ｅもしくはシート積載面上のシートＰの上面に常時、確実に接触するように追従できる。これにより、被写体Ｓの画像情報を読み取り後の、給送ローラ１１ｂからシートＰを給送する複数枚コピーも可能となっている。
【００６０】
なお、本実施形態では、トーションコイルばね８４を使用して被写体進入規制レバー７０を積載トレイ１１ａに接近する方向に付勢したが、この構成に限定されるものではない。即ち、被写体進入規制レバー７０の自重によって被写体進入規制レバー７０を積載トレイ１１ａに接近する方向に付勢するように構成することも可能である。
【００６１】
ここで、図７は、被写体進入規制レバー７０を積載トレイ１１ａから更に上方に退避させた状態を示している。即ち、図７に示すように、被写体進入規制レバー７０は、規制位置（図７の破線で示す位置）と、退避位置（図７の実線で示す位置）とに移動可能に支持されている。規制位置は、当接部７０ａがシート積載面１１ｅもしくはシート積載面上のシートＰに追従する位置（破線位置）であり、退避位置は、当接部７０ａがシート積載面１１ｅから退避する位置（実線位置）である。
【００６２】
図７の実線位置に被写体進入規制レバー７０を退避させておけば、被写体Ｓの読み取り動作が不要な際には、軸支された被写体進入規制レバー７０を積載トレイ１１ａから上方に退避させることで、積載トレイ１１ａへのシートの積載作業が容易になる。
【００６３】
また、画像形成装置１は、被写体進入規制レバー（規制部材）７０の位置を検知する検知手段としてのレバー検知センサ８０を有している（図８参照）。レバー検知センサ８０は、図７における支持部７１に取り付けられて上方に回動した被写体進入規制レバー７０の先端部７０ｂ付近を保持する保持部７２に先端部７０ｂが当接した際、被写体進入規制レバー７０が退避位置にあることを検知する。レバー検知センサ８０により被写体進入規制レバー７０が退避位置にあることが検知された場合、制御部４６はこの信号に基づき、読取表示ランプ２３５を点灯させず、読取ユニット２３１による被写体Ｓの画像読み取り動作を行わないように制御する。
【００６４】
つまり、制御手段としての制御部４６は、レバー検知センサ８０による検知に基づき被写体進入規制レバー７０が退避位置にあると判定した場合には、読取ユニット（撮像手段）２３１による撮像動作を制限する。このため、被写体進入規制レバー７０が退避位置にある状態でユーザが積載トレイ１１ａに被写体Ｓを積載し、誤って読取動作開始ボタン２３６を押したとしても、読取ユニット２３１による読み取りは開始されず、コピーのためのシート給送動作も行われない。そのため、積載トレイ１１ａのシート積載面１１ｅに積載された被写体Ｓが給送ローラ１１ｂにより給送され、被写体Ｓに画像形成されて汚れてしまうことを確実に防止することができる。
【００６５】
［制御系］
次に、図８を参照して、本画像形成装置１における読取動作の制御系について説明する。なお、図８は、本画像形成装置１の読取動作の制御系を示すブロック図である。
【００６６】
装置本体１ａに設けられた制御手段としての制御部４６には、図８に示すように、レバー検知センサ８０、読取ユニット２３１、操作部６１、読取モード位置検知センサ４９、読取動作開始ボタン２３６からの各信号が入力される。また、制御部４６は、読取ユニット２３１、ＵＳＢメモリ４８、画像形成部１０、給送ローラ１１ｂ、給送ローラ２１１ｂ、読取表示ランプ２３５に各信号を出力する。読取動作開始ボタン２３６は、制御部４６の制御により、読取表示ランプ２３５が発光しているときだけ読取動作の開始を指示できるように機能する。
【００６７】
制御部４６は、読取モード位置検知センサ４９のオン、オフ状態に基づき、読取ユニット２３１による読取動作（撮像動作）が可能か否かを判断する。また、制御部４６は、読取モード位置検知センサ４９のオン、オフ状態に基づき、オン状態の場合には読取表示ランプ２３５に対して点灯の指令を出力し、オフ状態の場合には読取表示ランプ２３５に対して非点灯の指令を出力する。
【００６８】
制御部４６は、読取動作開始ボタン２３６からの信号が伝達されると、読取ユニット２３１に動作指令を出力し、操作部６１からの入力の状況（設定）に応じて、読取ユニット２３１からの情報をＵＳＢメモリ４８に入力する指令を出力する。もしくは、制御部４６は、読取ユニット２３１からの情報を画像形成部１０に入力させる指令を出力すると共に、画像形成部１０に対して動作指令を出力する。
【００６９】
以上の本実施形態において、装置本体１ａに収納可能な読取ユニット２３１は、装置本体１ａから撮像可能位置に引き出されると、積載トレイ１１ａに積載された被写体Ｓを撮像可能な読取モード位置となる。そして、この状態において、読取表示ランプ２３５を発光させて読取可能であることを表示し、読取動作開始ボタン２３６を操作可能に露出させて読取動作の開始をユーザが支持できるようにする。読取表示ランプ２３５が点灯しているときに読取動作開始ボタン２３６を押し込むと、被写体Ｓの読取動作を開始することができる。
【００７０】
次に、本実施形態における読取動作について説明する。なお、図９は、本実施形態に係る画像形成装置１の読取動作を示すフローチャートである。
【００７１】
即ち、レバー検知センサ８０が、被写体進入規制レバー７０が退避位置（図７の実線位置）にあることを検知すると（Ｓ１：ＹＥＳ）、制御部４６の指令により、読取表示ランプ２３５が消灯する（Ｓ７）。この状態で、読取動作開始ボタン２３６が押下されても（Ｓ８）、制御部４６は動作を受理しない（Ｓ９）。
【００７２】
一方、制御部４６は、レバー検知センサ８０により被写体進入規制レバー７０が退避位置にないことが検知されると、指令を出して、読取表示ランプ２３５を点灯させる。この状態で、読取動作開始ボタン２３６が押下されると、制御部４６は、その入力を受理して被写体読み取り動作を実行させる。その後、操作部６１の設定に応じて、コピー枚数や使用する給送手段（給送ローラ１１ｂか給送ローラ２１１ｂ）などを決定し、画像形成動作を実行する。
【００７３】
以上の本実施形態によると、被写体進入規制レバー７０は、積載された被写体Ｓの端面と下面とに接触する当接部７０ａを有している。当接部７０ａは、シート積載面１１ｅと略垂直な方向に回動可能である。そして当接部７０ａは、給送ローラ１１ｂによる給送動作時のシート積載面１１ｅの高さ変位や、シート積載面上の積載シート枚数に拘わらず、当接部７０ａの下面が、シート積載面１１ｅもしくは積載されたシートＰの上面に常時接するように動作される。
【００７４】
これにより、積載トレイ１１ａにシートＰが積載され、その上に被写体Ｓが積載され、被写体Ｓの情報を読み取る動作が行われた後にシートＰを給送する動作を行う場合であっても、以下のようになる。つまり、積載トレイ１１ａに積載された被写体Ｓが、給送ローラ１１ｂ側に進入することなく、かつ連続して画像形成を行うためのシート給送動作を行うことができる。
【００７５】
＜第２の実施形態＞
次に、図１０及び図１１を参照して、本発明の第２の実施形態に係る被写体進入規制レバー７０の配置構成について説明する。図１０は、本実施形態に係る開放状態の積載トレイ１１ａに被写体Ｓを積載した状態で示す斜視図、図１１は、被写体進入規制レバー７０の規制状態を拡大して示す側面図である。なお、本実施形態では、第１の実施形態と同一の部材には同一符号を付すと共に、構成、機能が同じものについてはその説明を省略する。
【００７６】
本実施形態では、被写体進入規制レバー７０の先端にある当接部７０ａが、給送ローラ１１ｂよりもシート給送方向の上流側に位置している。そして、この当接部７０ａは、積載トレイ１１ａに積載されるシートＰのシート給送方向と水平方向に直交する方向の位置（所謂シート幅方向の位置）を規制するサイド規制板（規制部材）１１ｆよりもシート給送方向の上流側に配置されている。
【００７７】
即ち、サイド規制板１１ｆは、シート給送方向（図１０の矢印Ｈ方向）に直交する幅方向（図１０の矢印Ｉ方向）の両端部に配置されている。それらサイド規制板１１ｆは、第１の方向（例えば矢印Ｉ方向における一方向）及び第１の方向に反対方向である第２の方向（例えば矢印Ｉ方向における他方向）に移動可能に支持されている。一対のサイド規制板１１ｆは、積載トレイ（積載手段）１１ａに積載されているシートＰの幅方向（矢印Ｉ方向）の端部に当接し、シートＰの位置を規制する。そして、被写体進入規制レバー７０の当接部７０ａは、図１１に示すように、シート給送方向におけるサイド規制板１１ｆよりも上流側に位置するように配置されている。
【００７８】
以上の構成により、例えば、積載トレイ１１ａに積載されるシートＰと被写体Ｓの幅方向寸法が、シートＰ＞被写体Ｓの場合であっても、或いは、シートＰ＜被写体Ｓの場合であっても、被写体Ｓの積載が可能になる。そして、被写体Ｓの縮小コピーや拡大コピーを実施することが可能となる。従って、本実施形態によると、第１の実施形態と同様の効果を得ることができると共に、図１０のように積載トレイ１１ａに積載される被写体Ｓの幅方向寸法をサイド規制板１１ｆ，１１ｆの間隔に拘わらず任意に選択することができる。
【００７９】
＜第３の実施形態＞
次に、図１２及び図１３を参照して、本発明の第３の実施形態に係る被写体進入規制レバー７０の当接部７０ａの高さ位置に対応して読取ユニット２３１の高さ位置が変更される一構成例について説明する。図１２は、本実施形態に係る読取ユニット２３１の可動例であるシートＰ無し且つ被写体Ｓ有りの状態を拡大して示す側面図、図１３は、読取ユニット２３１の可動例であるシートＰ有り且つ被写体Ｓ有りの状態を拡大して示す側面図である。なお、本実施形態では、第１の実施形態と同一の部材には同一符号を付すと共に、構成、機能が同じものについてはその説明を省略する。
【００８０】
本実施形態では、図１２及び図１３に示すように、被写体進入規制レバー７０の回動変位を移動リンク機構９３によって読取ユニット２３１に回動動作として伝達するように構成される。即ち、移動リンク機構９３では、被写体進入規制レバー７０の当接部７０ａと反対側の一端部に、上下方向に延びるレバーリンク部材７８の屈曲部７８ａが連結されている。そして、レバーリンク部材７８の上端突起部７８ｃは、読取ユニット２３１を支える軸部２３８に一端部２４２ｂが連結（固定）されたレバー部材２４２の他端部２４２ｃに設けられた長穴部２４２ａに係合している。
【００８１】
レバー部材２４２は、支持凸部２３９，２３９間に延設された軸部２３８の下部に一端部２４２ｂが固定されており、この軸部２３８を支点として第２腕部２３１ｂと一体的に回動可能に構成されている（図３参照）。そして、読取ユニット２３１は、レバー部材２４２の回動に伴い、例えば図１２に示す起立状態のままで、軸部２３８を支点としてシート積載面１１ｅに対して回動可能に構成されて、レンズ２３２を略垂直な方向（矢印Ｆ方向）に揺動させるように構成される。
【００８２】
つまり、給送ローラ１１ｂの給送ローラ軸１１ｇの近傍から同図の上方に延設された支持部７１における給送ローラ軸１１ｇのやや上方から積載トレイ１１ａ側に延びるようにブラケット７３が固定されている。ブラケット７３には、その先端部に回動軸７４が回動可能に支持され、回動軸７４の軸方向の突出端部には、アーム部７０ｆの一端部が固定されている。アーム部７０ｆの他端部に設けられた凸部７０ｈには、支持部７１における保持部７２との間に、引っ張りバネ９４が縮めて設けられている。
【００８３】
支持部７１の背面側に位置するレバーリンク部材７８は、その下部から積載トレイ側に屈曲して延びる屈曲部７８ａと、屈曲部７８ａの先端部に形成された長穴部７８ｂと、屈曲部７８ａの後端部から９０゜屈曲して上方に延設された延設部７８ｅとを有する。延設部７８ｅの上端部には、上端突起部７８ｃが形成されている。ブラケット７３に軸支された回動軸７４から斜め上方に延設された延設部７０ｄは、先端に連結突起７０ｅを有している。
【００８４】
延設部７０ｄは、連結突起７０ｅが長穴部７８ｂに摺動可能に係合することで、被写体進入規制レバー７０の回動動作で回動する連結突起７０ｅにより屈曲部７８ａを上下動させる。このため、延設部７８ｅ上部の上端突起部７８ｃを介してレバー部材２４２の他端部２４２ｃが上下動されることで、レバー部材２４２が軸部２３８を支点として時計回り方向と反時計回り方向に回動させられる。読取ユニット２３１は、下部側の第２腕部２３１ｂにレバー部材２４２の回動を伝達されることで、上述したようにシート積載面１１ｅに対して軸部２３８を支点として回動する。
【００８５】
ここで、被写体進入規制レバー７０における、回動軸７４から当接部７０ａまでの半径距離をｒ１とし、回動軸７４からレバーリンク部材７８との連結部（長穴部７８ｂ）までの半径距離をｒ２とする。また、読取ユニット２３１における、軸部２３８からレンズ２３２の中心までの半径距離をｒ３とし、軸部２３８から、レバーリンク部材７８の上端突起部７８ｃまでの半径距離をｒ４とする。そして、半径距離ｒ１と半径距離ｒ２との比と、半径距離ｒ３と半径距離ｒ４との比とが同等に設定されている。本実施形態では、この構成により、被写体進入規制レバー７０の当接部７０ａがシート積載面１１ｅに対し接近及び離間（接離）する移動長さに対応して、読取ユニット２３１のレンズ２３２がこの移動長さと同量分だけシート積載面１１ｅに対して接離できる。
【００８６】
本実施形態において、被写体進入規制レバー７０は、給送ローラ近傍を支点として回動可能に支持され、読取ユニット２３１は、シート積載面１１ｅの位置に応じてシート積載面１１ｅ上の被写体Ｓに焦点を合わせて移動して撮像可能となるように支持される。さらに、シート積載面１１ｅに追従する当接部７０ａの移動に連動して読取ユニット２３１をシート積載面１１ｅに対して移動させる移動リンク機構（移動手段）９３を有している。そして移動リンク機構９３は、シート積載面１１ｅに積載されたシートＰの枚数変化に対応して当接部７０ａがシート積載面１１ｅと略垂直な方向（図１２の矢印Ｆの方向）に移動する変位量に応じて、以下のように動作する。つまり、移動リンク機構９３は、シート積載面１１ｅに対する読取ユニット２３１のレンズ（撮像部）２３２までの距離を変更させるように動作する。
【００８７】
以上の本実施形態では、第１の実施形態と同様の効果が得られると共に、シート積載面１１ｅに積載されたシートＰの枚数に拘わらず、シート積載面１１ｅ上に積載された被写体Ｓからレンズ２３２までの距離を一定に保つことが可能になる。そして、被写体Ｓの画像を読み取る際のレンズ２３２から被写体Ｓまでの距離とレンズ焦点とのばらつきを、最小限に抑えることができる。
【００８８】
なお、本実施形態では、被写体進入規制レバー７０の回動変位を移動リンク機構９３により読取ユニット２３１に回動動作として伝達しているが、このような機械的構成に代えて、電気的な制御で読取ユニット２３１の回動動作を制御することも可能である。つまり、読取ユニット２３１下部の軸部２３８を不図示のモータ等のアクチュエータにより回動させるように構成する。そして、センサを用いて被写体進入規制レバー７０や当接部７０ａの回動量を検知し、この回動量に対応して読取ユニット２３１を回動動作させるように制御部４６でアクチュエータを作動制御する構成とすることが可能である。このような構成によっても、移動リンク機構９３を用いた場合と同様の効果を得ることができる。
【００８９】
以上説明した第１〜第３の実施形態は、電子写真記録方式の画像形成装置１を用いて説明したが、本発明はこれに限定されない。例えば、ノズルからインク液を吐出させることでシートに画像を形成するインクジェット記録方式の画像形成装置にも用いることが可能である。その場合にも前述と同様の効果を得ることが可能である。
【符号の説明】
【００９０】
１…画像形成装置／１ａ…装置本体／１０…画像形成部（画像形成手段）／１１ａ…積載トレイ（積載手段）／１１ｂ…給送ローラ（給送手段）／１１ｅ…シート積載面／１１ｆ…サイド規制板（規制部材）／４６…制御部（制御手段）／７０…被写体進入規制レバー（被写体進入規制手段）／７０ａ…当接部／７４…回動軸／８０…レバー検知センサ（検知手段）／９３…移動リンク機構（移動手段）／２３１…読取ユニット（撮像手段）／２３２…レンズ（撮像部）／Ｐ…シート／Ｓ…被写体
【図１】
2016186586.tif 000003
【図２】
2016186586.tif 000004
【図３】
2016186586.tif 000005
【図４】
2016186586.tif 000006
【図５】
2016186586.tif 000007
【図６】
2016186586.tif 000008
【図７】
2016186586.tif 000009
【図８】
2016186586.tif 000010
【図９】
2016186586.tif 000011
【図１０】
2016186586.tif 000012
【図１１】
2016186586.tif 000013
【図１２】
2016186586.tif 000014
【図１３】
2016186586.tif 000015